(57)【特許請求の範囲】
【請求項１】
魚が好む成分の粉末と魚が好む匂いのする粉末とを混合した団子状の釣り餌と、当該釣り餌を包み込むパラフィンワックスからなり、釣り餌を手で触っても手が汚れず周りに釣り餌の匂いがつくことなく使用できることを特徴とする釣り餌。
【請求項２】
釣り餌と、釣り餌を包むパラフィンワックスとからなり、釣り餌が外気に触れることがないので腐りにくく、釣り餌の匂いがせず、常温で釣り餌を日持ちさせることができ、同時に餌を入れる容器や収納具を汚すことなく容易に携帯できることを特徴とする釣り餌。
【請求項３】
釣り用のワームに空間を設けて、その空間にワームの外部に設けた切り込み口から請求項１記載の本発明の釣り餌を入れて、ワームの外側から指で本発明の釣り餌を指でつぶす事で、パラフィンワックスが割れて中の釣り餌がワームに設けた空間に広がり、ワームに餌と匂いを付け加えることができ、魚へのアピールを上げることができる様にしたことを特徴とする本発明専用の釣り餌を入れることの出来るワーム。
【発明の詳細な説明】
【技術分野】
【０００１】  この発明は、魚釣りに使用する釣り餌の利便性、保存、携帯のしやすさに関する。
【背景技術】
【０００２】  従来の釣り餌は、釣り餌をそのまま手にとり、針に付けたりしていた。
また、釣り餌や魚の生餌などを保存するために保冷機能のある器具に保存をしていた。
【先行技術文献】
【特許文献】
【０００３】
【特許文献１】  特表２０１１−５０００３８
【０００４】
【特許文献２】  特開２０１２−３９８９２号  公報
【０００５】
【特許文献３】  特開２００５−２２４２２９号  公報
【０００６】
【特許文献４】  特開２０１３−７１９３４号  公報
【発明の概要】
【発明が解決しようとする課題】
【０００７】  しかしながら、従来の釣り餌は、釣り餌を付けるときに手が汚れたり、釣り餌の匂いが気になったりしていた。また、釣り餌が腐らないように保冷して携帯しなければならず保存や携帯するにも手間がかかって不便であった。【０００８】  そして、以上の技術によれば、製造コストなども掛かる、釣り餌は消耗するものであるので気軽に使用できることは難しかった。
さらに、以上の技術では手を汚さず周りに匂いをつけずに使用することも難しかった。【０００９】  そこで、本発明は、餌を使用する時に、手が汚れずまた、餌の匂いも気にすることなく使用でき、保存や携帯しやすい魚の釣り餌を提供することを課題とする。
【課題を解決するための手段】
【００１０】  以上の課題を解決するために、第一発明は、魚の好む素材の釣り餌と、魚が好む素材の匂いのする素材の釣り餌を混合して、団子状にした物をパラフィンワックスで包んだことで、釣り餌を使用するときに、手を汚すことなく手や周りに釣り餌の匂いがつかない様に使用出来ることを特徴とする魚の釣り餌である。【００１１】  また、第二発明は、釣り餌をパラフィンワックスで包むことにより、冷凍・冷蔵保存することなく常温で長期保存することを可能としたことを特徴とする釣り餌である。【００１２】  本発明の製造工程と使用方法を詳細に示す。
魚の好む固形の餌、ここでは魚が好むとされるアミノ酸が豊富に含まれている干しエビ、煮干し、イワシなどをすりつぶした魚粉、薩摩芋澱粉、黒砂糖粉末、魚が好むとされる匂いのする粉末にしたニンニク、芋焼酎を練り合わせ、団子状にする。
団子状にしたこれらの釣り餌を、熱して液体にしたパラフィンワックスに浸して取り出す。熱が冷めてくると釣り餌の周りに付いたパラフィンワックスが固まりだし釣り餌をコーティングする。
【発明の効果】
【００１３】  そうすることにより、練り合わせて団子状にした釣り餌は外気に触れることもなくなり腐りにくくなる、またバラバラになったりすることもなく、パラフィンワックスに包まれているので釣り餌の匂いがしたり、手を汚したりすることもない。【００１４】  上述したように本発明釣り餌は、釣り餌をつける時の手の汚れや手や周りに釣り餌の匂いがつくのを防止するとともに、保存や携帯するのが容易になるような効果にしてある。【００１５】  また、釣り餌をパラフィンワックスで包むことにより、釣り餌を常温で保存しても釣り餌がいたみにくく、さらに釣り餌をパラフィンワックスで包んでいるためバッグやケースなどの収納具に入れておいても周りを汚すことなく携帯できる効果も発揮するものである。
【図面の簡単な説明】
【００１６】
【図１】本発明の（Ａ）断面図と（Ｂ）外観図
【図２】本発明の釣り餌を入れるための（Ｃ）専用ルアー図と、（Ｄ）専用ルアーに釣り餌を入れる図、（Ｅ）専用ルアーに釣り餌を入れて指でつぶす図
【発明を実施するための形態】
【００１７】  以下、本発明の実施の形態を図１・図２に基づいて説明する。
【００１８】  本発明は、釣り針に釣り餌を刺したときに出来る穴からパラフィンワックスで包まれている中の釣り餌が水中に放出されていき、餌と匂いを魚にアピールすることができる。
【００１９】  本発明の釣り餌を、本発明の釣り餌を中に入れるために空間を設けたワーム全体４、または釣りワームに空間を設けることにより釣りワームの形と動きに、餌と匂いをたすことができ魚によりアピールすることができる。
【実施形態の効果】
【００２０】  使用するときは、図２にある本発明の釣り餌を入れるために空間を設けたワーム全体４に設けてある、本発明の釣り餌をワームに入れるための空間５にそのまま入れる、そして図２の様にワームの外側から指でパラフィンワックス２を潰すことにより、本発明の釣り餌をワーム入れるための空間４に釣り餌が広がり、釣り餌をワームに入れた本発明の釣り餌が、本発明の釣り餌をワームの中の空間に入れるために設けた切り込み５から餌と匂いがワームの周りに広がり魚にアピールすることができる。
【他の実施形態】
【００２１】  釣り餌の成分や素材は、上述の素材に限らず魚の好む餌であれば使用できる。
また、パラフィンワックス２も本発明は釣り餌をコーティングして常温でも保存でき、釣り餌で手を汚さず、周りに釣り餌の匂いがつかないことを発明の主な効果としているので、上述の特許文献４のシームレスカプセルなどに代えてもよい。
本発明は、製造コストと製造のしやすさや、害の少ない素材を考慮して  釣り餌を包む素材をパラフィンワックス２としたものである。
【符号の説明】
【００２２】    １  釣り餌
２  パラフィンワックス
３  釣り餌をパラフィンワックスで包んだ本発明の釣り餌
４  本発明の釣り餌を中に入れるために空間を設けたワーム全体
５  本発明の釣り餌をワームに入れるための空間
６  本発明の釣り餌をワームの中の空間に入れるために設けた切り込み
【要約】
【課題】    従来の魚の釣り餌は、使用するときに手や周りが汚れたり、手や周りに釣り餌の匂いがついたりするという問題があった。また生餌などを使うため冷凍しないと保存できないなど問題があった。
【解決手段】    魚の好む餌や魚の好む匂いのする成分を餌と一緒に練り合わせて団子状にした釣り餌を、パラフィンワックスで包むことにより、手や周りを汚すことなく、そして手や周りに釣り餌の匂いをつけることなく使用でき、また釣り餌をパラフィンワックスで包むことにより釣り餌が外気にふれるのを防ぎ常温で長期保存ができ手軽に携帯できることで容易に使用できるようにした。
また、本発明の釣り餌を入れるために空間を設けたワームを使用することでワームの動きと形に足して、餌の匂いや成分で魚の釣果をあげる効果が期待できる。
【選択図】図１【図１】
0005864715.tif 000002
【図２】
0005864715.tif 000003